(57)【要約】【課題】高度を精度良く算出する場合であっても、消費電力を抑える。【解決手段】電子時計Ｗは、気圧センサー３を備える。電子時計Ｗは、所定位置の高度から算出される第１気圧と、気圧センサー３が所定時刻に測定した第２気圧とに基づいて、第１補正値ｃｖ１を生成する。次に、電子時計Ｗは、第１補正値ｃｖ１に基づいて、高度を算出するために気圧センサー３が測定した第３気圧を補正する。そして、電子時計Ｗは、補正後の気圧に基づいて、高度を算出する。【選択図】図３
2019174233.tif 000002
【特許請求の範囲】
【請求項１】
気圧センサーと、
所定位置の高度から算出される第１気圧と、前記気圧センサーが所定時刻に測定した第２気圧とに基づいて、第１補正値を生成する生成部と、
前記第１補正値に基づいて、前記気圧センサーが測定した第３気圧を補正する補正部と、
前記補正部が補正した補正後の気圧に基づいて、前記高度を算出する算出部と、
を備えることを特徴とする電子時計。
【請求項２】
請求項１に記載の電子時計において、
所定期間における時刻ごとの気圧の平均値と前記第１気圧との差分、または、所定期間における月ごとの気圧の平均値と前記第１気圧との差分を示す気圧情報を記憶する記憶部を備え、
前記補正部は、
前記気圧情報を参照して前記第３気圧を測定した時刻に応じた気圧の平均値と前記第１気圧との差分、または前記第３気圧を測定した月に応じた気圧の平均値と前記第１気圧との差分と、前記第１補正値とに基づいて、前記第３気圧を補正する、
ことを特徴とする電子時計。
【請求項３】
請求項２に記載の電子時計において、
前記第２気圧と前記第１気圧との差分、または前記第３気圧と前記第１気圧との差分に基づいて、前記気圧情報を更新する更新部を備え、
前記補正部は、
更新後の前記気圧情報を参照して前記第３気圧を測定した時刻に応じた気圧の平均値と前記第１気圧との差分または前記第３気圧を測定した月に応じた気圧の平均値と前記第１気圧との差分と、前記第１補正値とに基づいて、前記第３気圧を補正する、
ことを特徴とする電子時計。
【請求項４】
請求項３に記載の電子時計において、
前記更新部は、
前記第１気圧と前記第２気圧との差分が所定値以上である場合、前記気圧情報の値を前記第２気圧および前記第３気圧の測定前後で維持する、
ことを特徴とする電子時計。
【請求項５】
請求項１から４のいずれか１項に記載の電子時計において、
前記算出部は、
前記第１気圧と前記第２気圧との差分が所定値以上である場合、前記第３気圧に基づいて、前記高度を算出する、
ことを特徴とする電子時計。
【請求項６】
請求項１から４のいずれか１項に記載の電子時計において、
前記算出部は、
前記第２気圧を測定したときのタイムゾーンが前記所定位置のタイムゾーンと異なる場合、前記第３気圧に基づいて、前記高度を算出する、
ことを特徴とする電子時計。
【請求項７】
請求項１から４のいずれか１項に記載の電子時計において、
慣性センサーを備え、
前記算出部は、
前記第２気圧を測定したときに前記慣性センサーが慣性力を検出した場合、前記第３気圧に基づいて、前記高度を算出する、
ことを特徴とする電子時計。
【請求項８】
請求項１から７のいずれか１項に記載の電子時計において、
時刻または前記高度を指示する指針を備え、
前記指針は、前記算出部が前記補正後の気圧に基づいて前記高度を算出した場合に、第１通知動作を実施する、
ことを特徴とする電子時計。
【請求項９】
請求項４から７のいずれか１項に記載の電子時計において、
時刻または前記高度を指示する指針を備え、
前記指針は、前記算出部が前記第３気圧に基づいて前記高度を算出した場合に、第２通知動作を実施する、
ことを特徴とする電子時計。
【請求項１０】
気圧センサーを備える電子時計が、
所定位置の高度から算出される第１気圧と、前記気圧センサーが所定時刻に測定した第２気圧とに基づいて、第１補正値を生成し、
前記第１補正値に基づいて、前記気圧センサーが測定した第３気圧を補正し、
補正した補正後の気圧に基づいて、前記高度を算出する、
ことを特徴とする高度補正方法。
【発明の詳細な説明】
【技術分野】
【０００１】
本発明は、電子時計、および高度補正方法に関する。
【背景技術】
【０００２】
近年、高度を表示する電子時計が普及している。例えば、特許文献１には、気圧センサーおよびＧＰＳ（Global Positioning System）モジュールにより現在位置の高度を測定し、測定した高度を表示する電子時計が開示されている。気圧は時間経過によって変化するため、この電子時計は、気圧センサーが測定した気圧を、ＧＰＳモジュールが得た高度に基づいて補正している。
【先行技術文献】
【特許文献】
【０００３】
【特許文献１】特開２０１３−７２６６８号公報
【発明の概要】
【発明が解決しようとする課題】
【０００４】
しかしながら、上述した従来の電子時計では、高度を精度良く算出するためにＧＰＳモジュールを用いるが、ＧＰＳモジュールの消費電力は、気圧センサーの消費電力より大きい。従って、高度を精度良く算出する場合に、気圧センサーのみを用いて高度を測定する場合と比較して、消費電力が大きくなる問題があった。
【課題を解決するための手段】
【０００５】
本発明の好適な態様（第１態様）にかかる電子時計は、気圧センサーと、所定位置の高度から算出される第１気圧と、前記気圧センサーが所定時刻に測定した第２気圧とに基づいて、第１補正値を生成する生成部と、前記第１補正値に基づいて、前記気圧センサーが測定した第３気圧を補正する補正部と、前記補正部が補正した補正後の気圧に基づいて、前記高度を算出する算出部と、を備える。
【０００６】
以上の態様では、第２気圧を測定した所定時刻以降の気圧は、一定期間第１補正値が影響するように変化するとみなせる。例えば、所定時刻において低気圧であれば、一定期間低気圧が継続すると予想できる。この場合、第１補正値は、通常の気圧を基準として低気圧の影響を考慮した値であるとみなせる。従って、以上の態様によれば、第２気圧に影響を与えた低気圧または高気圧の影響を考慮した第１補正値に基づいて第３気圧を補正するため、高度の補正を行わない場合と比較して高度を精度良く算出することが可能になる。さらに、以上の態様では、ＧＰＳモジュールを用いずに第３高度の補正を行っているため、高度の補正を行わない場合と比較して高度を精度良く算出する場合であっても、消費電力を抑えることが可能になる。
【０００７】
第１態様の好適例（第２態様）において、所定期間における時刻ごとの気圧の平均値と前記第１気圧との差分、または、所定期間における月ごとの気圧の平均値と前記第１気圧との差分を示す気圧情報を記憶する記憶部を備え、前記補正部は、前記気圧情報を参照して前記第３気圧を測定した時刻に応じた気圧の平均値と前記第１気圧との差分、または前記第３気圧を測定した月に応じた気圧の平均値と前記第１気圧との差分と、前記第１補正値とに基づいて、前記第３気圧を補正する。
【０００８】
一般的に、一日単位の所定時刻ごとの平均的な気圧は、周期的に変化する傾向がある。同様に、一年単位の月ごとの平均的な気圧も、周期的に変化する傾向がある。上述した態様では、気圧情報には、この周期的な変化の傾向が反映されている。従って、上述した態様では、気圧情報を参照することにより、所定時刻ごと、または月ごとに周期的に変化する気圧の傾向を考慮するため、気圧情報を参照しない場合と比較して、高度を精度良く算出することが可能になる。
なお、気圧情報に記載した２つの所定期間は、互いに同一の期間でもよいし、互いに異なる期間でもよい。
【０００９】
第２態様の好適例（第３態様）において、前記第２気圧と前記第１気圧との差分、または前記第３気圧と前記第１気圧との差分に基づいて、前記気圧情報を更新する更新部を備え、前記補正部は、更新後の前記気圧情報を参照して前記第３気圧を測定した時刻に応じた気圧の平均値と前記第１気圧との差分または前記第３気圧を測定した月に応じた気圧の平均値と前記第１気圧との差分と、前記第１補正値とに基づいて、前記第３気圧を補正する。
【００１０】
上述の態様では、更新後の気圧情報には、第２気圧または第３気圧が反映される。すなわち、気圧情報には、気圧情報を更新しない場合と比較して、新しい情報が反映される。従って、以上の態様によれば、新しい情報が反映された更新後の気圧情報を参照して第３気圧を補正するため、気圧情報を更新しない場合と比較して、高度を精度良く算出することが可能になる。
【００１１】
第３態様の好適例（第４態様）において、前記更新部は、前記第１気圧と前記第２気圧との差分が所定値以上である場合、前記気圧情報の値を前記第２気圧および前記第３気圧の測定前後で維持する。
【００１２】
一般的に、第１気圧と第２気圧との差分が所定値以上となる場合とは、所定位置から電子時計が離れている場合、所定位置の高度とは異なる高度で第２気圧を測定した場合、または、台風が接近している等の異常気象時に第２気圧を測定した場合である。気圧情報は、所定位置における通常の気圧変化を想定しているため、所定位置から電子時計が離れている場合、または、所定位置に電子時計があったとしても通常とは異なる異常気象の気圧変化となる場合には、第２気圧を気圧情報に反映させない方がよい。第３気圧を測定した時点でも、第２気圧を測定した状況と同様の状況であると想定できるため、第３気圧も気圧情報に反映させない方がよい。以上の形態によれば、気圧情報に、精度を悪化させる、所定位置から電子時計が離れているときの気圧、および、異常気象の気圧を含めないことができる。従って、上述した態様によれば、第１気圧と第２気圧との差分が所定値以上の場合でも気圧情報を更新する場合と比較して、高度を精度良く算出することが可能になる。
【００１３】
第１態様から第４態様の好適例（第５態様）において、前記第１気圧と前記第２気圧との差分が所定値以上である場合、前記第３気圧に基づいて、前記高度を算出する。
【００１４】
以上の態様によれば、第１補正値に基づいて補正した気圧に基づいて高度を算出すると誤差が大きくなる虞がある場合には、第１補正値を用いずに高度を算出する。そのため、第１気圧と第２気圧との差分が所定値以上の場合でも第１補正値に基づいて気圧を算出する場合と比較して、高度を精度良く算出することが可能になる。
【００１５】
第１態様から第４態様の好適例（第６態様）において、前記算出部は、前記第２気圧を測定したときのタイムゾーンが前記所定位置のタイムゾーンと異なる場合、前記第３気圧に基づいて、前記高度を算出する。
【００１６】
第２気圧を測定したときのタイムゾーンが、所定位置のタイムゾーンと異なる場合、第２気圧を測定した位置が、所定位置から離れていることを示す。所定位置から電子時計が離れている場合には、第１補正値に基づいて補正した高度に基づいて高度を算出すると、かえって誤差が大きくなる虞がある。従って、以上の態様によれば、第１補正値に基づいて補正した高度に基づいて高度を算出すると誤差が大きくなる虞がある場合には、第１補正値を用いずに高度を算出する。そのため、タイムゾーンと異なる場合でも第１補正値に基づいて気圧を算出する場合と比較して、高度を精度良く算出することが可能になる。
【００１７】
第１態様から第４態様の好適例（第７態様）において、慣性センサーを備え、前記算出部は、前記第２気圧を測定したときに前記慣性センサーが慣性力を検出した場合、前記第３気圧に基づいて、前記高度を算出する。
【００１８】
第２気圧を測定したときに慣性力を検出した場合、電子時計が移動していることを意味するため、電子時計が所定位置から離れている虞がある。従って、以上の態様によれば、第１補正値に基づいて補正した高度に基づいて高度を算出すると誤差が大きくなる虞がある場合には、第１補正値を用いずに高度を算出する。そのため、慣性力を検出した場合でも第１補正値に基づいて気圧を算出する場合と比較して、高度を精度良く算出することが可能になる。
なお、慣性センサーは、慣性力を検出するのであれば、どのような構成であってもよいが、例えば、加速度センサーとジャイロセンサーとを含む。慣性センサーが加速度センサーである場合、加速度センサーは、電子時計Ｗにかかる直線的な慣性力に基づいて、加速度を測定する。慣性センサーがジャイロセンサーである場合、電子時計Ｗにかかるコリオリの力（慣性力の一種）に基づいて、角速度を測定する。
【００１９】
第１態様から第７態様の好適例（第８態様）において、時刻または前記高度を指示する指針を備え、前記指針は、前記算出部が前記補正後の気圧に基づいて前記高度を算出した場合に、第１通知動作を実施する。
【００２０】
以上の態様によれば、ユーザーは、第１通知動作を閲覧することにより、補正された高度であるか否かを把握することが可能になる。
【００２１】
第１態様から第７態様の好適例（第９態様）において、時刻または前記高度を指示する指針を備え、前記指針は、前記算出部が前記第３気圧に基づいて前記高度を算出した場合に、第２通知動作を実施する。
【００２２】
以上の態様によれば、ユーザーは、第２通知動作を閲覧することにより、表示される高度に誤差がある程度含まれる可能性があり、表示される高度が第１補正値によって補正を行った場合と比較して誤差が大きい可能性が高いことを把握することが可能になる。
【００２３】
本発明の好適な態様（第１０態様）にかかる高度補正方法は、気圧センサーを備える電子時計が、所定位置の高度から算出される第１気圧と、前記気圧センサーが所定時刻に測定した第２気圧とに基づいて、第１補正値を生成し、前記第１補正値に基づいて、前記気圧センサーが測定した第３気圧を補正し、補正した補正後の気圧に基づいて、前記高度を算出する。
【００２４】
以上の態様によれば、第２気圧に影響を与えた低気圧または高気圧の影響を考慮した第１補正値に基づいて第３気圧を補正するため、高度の補正を行わない場合と比較して高度を精度良く算出することが可能になる。さらに、以上の態様によれば、ＧＰＳモジュールを用いずに第３高度の補正を行っているため、高度の補正を行わない場合と比較して高度を精度良く算出する場合であっても、消費電力を抑えることが可能になる。
【図面の簡単な説明】
【００２５】
【図１】第１実施形態における電子時計Ｗを示す平面図。
【図２】第１実施形態における電子時計Ｗの構成図。
【図３】第１実施形態における制御部６の構成図。
【図４】一日の気圧変化を示す図。
【図５】所定値の一例を示す図。
【図６】第１実施形態における所定時刻到達時処理のフローチャートを示す図。
【図７】第１実施形態における高度表示モードのフローチャートを示す図。
【図８】第２実施形態における制御部６の構成図。
【図９】第１の態様における気圧情報７１を示す図。
【図１０】第２の態様における気圧情報７１を示す図。
【図１１】第１の態様における気圧情報７１を用いた第３気圧の補正方法を示す図。
【図１２】第２の態様における気圧情報７１を用いた第３気圧の補正方法を示す図。
【図１３】第２実施形態における所定時刻到達時処理のフローチャートを示す図。
【図１４】第２実施形態における高度表示モードのフローチャートを示す図。
【図１５】実施例および参考例における補正後の気圧を示す図。
【発明を実施するための形態】
【００２６】
以下、本発明を実施するための形態について図面を参照して説明する。ただし、各図において、各部の寸法および縮尺は、実際のものと適宜に異ならせてある。また、以下に述べる実施形態は、本発明の好適な具体例であるから、技術的に好ましい種々の限定が付されているが、本発明の範囲は、以下の説明において特に本発明を限定する旨の記載がない限り、これらの形態に限られるものではない。
【００２７】
Ａ．第１実施形態
以下、第１実施形態にかかる電子時計Ｗを説明する。
【００２８】
Ａ．１．電子時計Ｗの概要
図１に、第１実施形態における電子時計Ｗを示す平面図を示す。電子時計Ｗは、操作ボタンＡと、操作ボタンＢと、操作ボタンＣと、竜頭Ｄと、ベゼルＥと、第２バンド部Ｆと、第１バンド部Ｇと、表示部１０とを有する。図１に示すように、電子時計Ｗは、時間を計測するアナログ時計である。
【００２９】
図１において、表示部１０の表示面における裏面から表面へと向かう方向をｚ軸正方向とする。そして、ｚ軸に直交する２軸をｘｙ軸とし、表示部１０の中心から竜頭Ｄへの方向をｘ軸正方向とする。あるいは、表示部１０の表示面の法線方向をｚ軸とし、表示面の中心から第２バンド部Ｆまたは第１バンド部Ｇへの方向をｙ軸、ｚ軸およびｙ軸と直交する軸をｘ軸とすることもできる。第２バンド部Ｆから第１バンド部Ｇに向かう方向、すなわち、ｙ軸正方向を、「１２時方向」と定義する。従って、例えば、ｙ軸負方向が「６時方向」となり、ｘ軸正方向が「３時方向」となる。
【００３０】
操作ボタンＡ、操作ボタンＢ、操作ボタンＣ、および、竜頭Ｄは、電子時計Ｗの側面に設けられる。操作ボタンＡ、操作ボタンＢ、および操作ボタンＣは、ユーザーの押下操作を検出する。竜頭Ｄは、回転および引き出しが可能な部材である。ベゼルＥは、電子時計Ｗの保護および補強をする部材である。第２バンド部Ｆおよび第１バンド部Ｇは、電子時計Ｗをユーザーの手首に装着するための部材である。
【００３１】
表示部１０は、時針１１と、分針１２と、センター指針１３と、ダイヤルリング１４と、６時側に設けられた６時側情報表示部２０と、２時側に設けられた２時側情報表示部３０と、１０時側に設けられた１０時側情報表示部４０と、日にち表示部５０と、を有する。ダイヤルリング１４には、１２時制の目盛り１４ａが環状に形成される。日にち表示部５０は、６時側情報表示部２０の６時側に設けられる。
【００３２】
６時側情報表示部２０は、文字板２１と、モード指針２２とを有する。文字板２１には、動作モードを表す文字が記載されている。電子時計Ｗは、動作モードとして、現在時刻を示す時刻表示モードと、タイムゾーンの表示および設定が可能なタイムゾーン設定モードと、高度を示す高度表示モードとを有する。文字板２１には、時刻表示モードを表す文字列２１ａ「ＴＩＭＥ」と、タイムゾーン設定モードを表す文字列２１ｂ「ＴＺ」と、高度表示モードを表す文字列２１ｃ「ＡＬＴ」とが設けられている。
【００３３】
６時側情報表示部２０は、モード指針２２が文字列２１ａを指示することにより動作モードが時刻表示モードであることを表示する。また、６時側情報表示部２０は、モード指針２２が文字列２１ｂを指示することにより動作モードがタイムゾーン設定モードであることを表示する。また、６時側情報表示部２０は、モード指針２２が文字列２１ｃを指示することにより動作モードが高度表示モードであることを表示する。
【００３４】
Ａ．１．１．時刻表示モードの概要
時刻表示モードでは、電子時計Ｗは、現在時刻を表示することができる。ユーザーにより操作ボタンＡが何度か押下されてモード指針２２が文字列２１ａを指示する場合に、電子時計Ｗは、動作モードを時刻表示モードに設定する。動作モードを時刻表示モードに設定している場合に、表示部１０は、目盛り１４ａを基準にして、時針１１および分針１２を用いて、現在時刻の時および分を表示する。さらに、表示部１０は、１０時側情報表示部４０を用いて、現在時刻の秒を表示する。
【００３５】
１０時側情報表示部４０は、文字板４１と、小秒針４２とを有している。文字板４１には、秒についての目盛り４１ａが設けられている。目盛り４１ａには、秒を示す「０」、「１５」、「３０」、および、「４５」、ならびに、「＋」および「−」が設けられている。時刻表示モードにおいて、表示部１０は、目盛り４１ａを基準にして、小秒針４２を用いて、現在時刻の秒を表示する。
【００３６】
時刻表示モードにおいて、操作ボタンＢを所定時間、例えば３秒以上押下されたことを検出すると、ＧＰＳモジュール２（図２参照）が起動し、現在の年月日、および現在時刻を取得する。取得した現在の年月日、および現在時刻によって、電子時計Ｗの内部時刻が修正されるとともに、表示部１０は、取得した現在の年月日、および現在時刻を表示する。
【００３７】
Ａ．１．２．タイムゾーン設定モードの概要
タイムゾーン設定モードでは、電子時計Ｗは、タイムゾーンの表示および設定が可能である。ユーザーにより操作ボタンＡが何度か押下されてモード指針２２が文字列２１ｂを指示する場合に、電子時計Ｗは、動作モードをタイムゾーン設定モードに設定する。動作モードをタイムゾーン設定モードに設定している場合に、表示部１０は、目盛り１４ａを基準にして、時針１１および分針１２を用いて、現在時刻の時および分を表示する。さらに、表示部１０は、ベゼルＥに設けられた目盛りＥａを基準にして、センター指針１３を用いて、現在のタイムゾーンを表示する。目盛りＥａには、複数のタイムゾーンが示されている。目盛りＥａには、例えば、協定世界時（ＵＴＣ）から時差がないタイムゾーンを示す数字「０」、協定世界時から１時間早い時差を有するタイムゾーンを示す数字「＋１」、および、協定世界時から１時間遅い時差を有するタイムゾーンを示す数字「−１」等が記載されている。
【００３８】
タイムゾーン設定モードにおいて、操作ボタンＢを所定時間、例えば３秒以上押下されたことを検出すると、ＧＰＳモジュール２が起動し、現在位置の緯度および経度を取得する。電子時計Ｗは、記憶部７（図２参照）に記憶された、緯度および経度とタイムゾーンとの関係を示すタイムゾーン情報を参照して、取得した現在位置の緯度および経度に対応するタイムゾーンを算出し、算出したタイムゾーンの設定を記憶する。
【００３９】
タイムゾーン設定モードにおいて、竜頭Ｄの一段引き出し操作を行うと、電子時計Ｗは、タイムゾーンの手動設定を行うことが可能である。竜頭Ｄの一段引き出し操作を行った後に、竜頭Ｄの回転操作を受け付けると、竜頭Ｄの回転操作に応じてセンター指針１３が回転する。竜頭Ｄの押し込み操作を受け付けると、電子時計Ｗは、センター指針１３の現在の向きに応じたタイムゾーンの設定を記憶する。
【００４０】
Ａ．１．３．高度表示モードの概要
高度表示モードでは、電子時計Ｗは、現在位置の高度を表示することができる。ユーザーにより操作ボタンＡが何度か押下されてモード指針２２が文字列２１ｃを指示する場合に、電子時計Ｗは、動作モードを高度表示モードに設定する。高度表示モードでは、表示部１０は、センター指針１３と、ダイヤルリング１４に形成された目盛り１４ｂと、２時側情報表示部３０と、１０時側情報表示部４０とを用いて、高度を表示する。目盛り１４ｂは、目盛り１４ａの外側に形成された「０」、「１０」、「２０」、「３０」、「４０」、および「５０」である。
【００４１】
２時側情報表示部３０は、文字板３１と、数値表示短針３２と、数値表示長針３３とを有する。文字板３１には、０から９が書かれた目盛り３１ａが設けられている。
【００４２】
目盛り１４ｂの各数値は、高度の「ｍ」の１００の位の桁の値、および高度の「ｍ」の１０００の位の桁の値として使用される。目盛り３１ａの各数値は、数値表示短針３２に対して高度の「ｍ」の１０の位の桁の値として使用され、数値表示長針３３に対して高度の「ｍ」の１の位の桁の値として使用される。目盛り４１ａの「＋」および「−」は、高度の正負の符号として使用される。従って、高度表示モードでは、小秒針４２が「＋」を指示する場合、センター指針１３、数値表示短針３２、および、数値表示長針３３は、センター指針１３が指示する数×１００ｍ＋数値表示短針３２が指示する数×１０ｍ＋数値表示長針３３が指示する数×１ｍによって、現在位置の高度を表示する。同様に、小秒針４２が「−」を指示する場合、センター指針１３、数値表示短針３２、および、数値表示長針３３は、（−１）×センター指針１３が指示する数×１００ｍ＋数値表示短針３２が指示する数×１０ｍ＋数値表示長針３３が指示する数×１ｍによって、現在位置の高度を表示する。
例えば、高度が３７７６ｍである場合、小秒針４２は、「＋」を指示し、センター指針１３は、「３７」を指示し、数値表示短針３２は、「７」を指示し、数値表示長針３３は、「６」を指示する。
【００４３】
高度表示モードにおいて、竜頭Ｄの一段引き出し操作を行うと、電子時計Ｗは、高度補正に用いる高度の設定を行うことが可能である。この設定される高度には、以下に示す２つの条件を満たす必要がある。第１の条件は、高度が予め判明している場所であることである。第２の条件は、所定時刻において、ユーザーがこの場所にほぼ毎日いることである。第１の条件および第２の条件を満たす高度は、例えば、ユーザーの自宅の高度である。所定時刻を午前２時とすると、ユーザーは、通常、高度が判明している自宅内で睡眠中であると考えられるため、第１の条件および第２の条件を満たす。
例えば、電子時計Ｗは、竜頭Ｄの一段引き出し操作を行った後に、竜頭Ｄの回転操作を受け付けると、竜頭Ｄの回転操作に応じてセンター指針１３が回転する。ユーザーは、自宅の高度÷１００の値をセンター指針１３が指示するように、竜頭Ｄを回転させる。電子時計Ｗは、操作ボタンＢの押下操作を受け付けると、竜頭Ｄの回転操作に応じて数値表示短針３２および数値表示長針３３が回転する。ユーザーは、自宅の高度÷１００の余りが、数値表示短針３２が指示する数×１０ｍ＋数値表示長針３３が指示する数×１ｍとなるように、竜頭Ｄを回転させる。竜頭Ｄの押し込み操作を受け付けると、電子時計Ｗは、操作ボタンＢの押下操作を受け付けたときのセンター指針１３の向き、および、竜頭Ｄの押し込み操作を受け付けたときの数値表示短針３２および数値表示長針３３の向きに応じた高度の設定を記憶する。そして、電子時計Ｗは、下記（１）式に従って、記憶した高度から、気圧を算出する。
【００４４】
【数１】
2019174233.tif 000003
【００４５】
Ｐ０は、海面気圧であり、例えば、１０１３．２５ｈＰａである。Ｔは、気温であり、例えば、１５度である。Ｐは、気圧である。ｈは、高度である。
【００４６】
電子時計Ｗは、算出した気圧を、所定位置の高度から算出される第１気圧として記憶する。本実施形態では、第１気圧と、所定時刻である午前２時に測定した第２気圧とに基づいて、第１補正値ｃｖ１（図１１参照）を生成する。次に、電子時計Ｗは、第１補正値ｃｖ１に基づいて、高度を算出するために気圧センサー３が測定した第３気圧を補正する。そして、電子時計Ｗは、第３気圧を補正した補正後の気圧に基づいて、高度を算出する。
【００４７】
日にち表示部５０は、カレンダーの日にちを表示する日車５１を有する。
【００４８】
図２に、電子時計Ｗの構成図を示す。図２において、図１に示したものと同一構成のものには同一符号を付してある。
【００４９】
電子時計Ｗは、時針１１、分針１２およびセンター指針１３に関する構成として、時針１１、分針１２、センター指針１３、輪列機構２０１ならびに輪列機構２０２、ステッピングモーター３０１ならびにステッピングモーター３０２、および、モータードライバー４０１ならびにモータードライバー４０２を含む。モータードライバー４０１は、輪列機構２０１を介して時針１１と分針１２とを駆動するためにステッピングモーター３０１を駆動する。モータードライバー４０２は、輪列機構２０２を介してセンター指針１３を駆動するためにステッピングモーター３０２を駆動する。
【００５０】
電子時計Ｗは、６時側情報表示部２０に関する構成として、モード指針２２、輪列機構２０３、ステッピングモーター３０３、および、モータードライバー４０３を含む。モータードライバー４０３は、輪列機構２０３を介してモード指針２２を駆動するためにステッピングモーター３０３を駆動する。
【００５１】
電子時計Ｗは、２時側情報表示部３０に関する構成として、数値表示短針３２、数値表示長針３３、輪列機構２０４、ステッピングモーター３０４、および、モータードライバー４０４を含む。モータードライバー４０４は、輪列機構２０４を介して数値表示短針３２および数値表示長針３３を駆動するためにステッピングモーター３０４を駆動する。
【００５２】
電子時計Ｗは、１０時側情報表示部４０に関する構成として、小秒針４２、輪列機構２０５、ステッピングモーター３０５、および、モータードライバー４０５を含む。モータードライバー４０５は、輪列機構２０５を介して小秒針４２を駆動するためにステッピングモーター３０５を駆動する。
【００５３】
電子時計Ｗは、日にち表示部５０に関する構成として、日車５１、輪列機構２０６、ステッピングモーター３０６、モータードライバー４０６を含む。モータードライバー４０６は、輪列機構２０６を介して日車５１を駆動するためにステッピングモーター３０６を駆動する。
【００５４】
電子時計Ｗは、さらに、発振回路１と、ＧＰＳモジュール２と、気圧センサー３と、加速度センサー４と、制御部６と、記憶部７と、操作ボタンＡと、操作ボタンＢと、操作ボタンＣと、竜頭Ｄとを含む。
【００５５】
発振回路１は、時刻を計時するために用いられるクロック信号を生成する。クロック信号の周波数は、例えば、３２．７６８ｋＨｚである。クロック信号の周波数が分周されて、周波数が１Ｈｚとなったクロック信号が、制御部６に入力される。ＧＰＳモジュール２は、位置情報衛星の一つであるＧＰＳ衛星からの衛星信号を受信する。
【００５６】
気圧センサー３は、電子時計Ｗの周辺の気圧を計測する。加速度センサー４は、電子時計Ｗにかかる直線的な慣性力を検出し、検出した慣性力に基づいて、電子時計Ｗの加速度を計測する。加速度センサー４は、「慣性センサー」の一例である。
【００５７】
記憶部７は、読み書き可能な不揮発性の記録媒体である。記憶部７は、例えば、フラッシュメモリーである。記憶部７は、フラッシュメモリーに限らず適宜変更可能である。記憶部７は、例えば、制御部６が実行するプログラムを記憶する。
【００５８】
制御部６は、例えば、ＣＰＵ（Central Processing Unit）等のコンピューターである。制御部６は、電子時計Ｗの全体の制御を司る。制御部６の構成について、図３を用いて説明する。
【００５９】
Ａ．２．第１実施形態にかかる制御部６の構成
図３に、制御部６の構成図を示す。制御部６は、記憶部７に記憶されたプログラムを読み取り実行することにより、生成部６１と、補正部６２と、算出部６３と、表示制御部６４とを実現する。生成部６１、補正部６２、算出部６３、および表示制御部６４の処理結果は、記憶部７に記憶される。以下、現在時刻が所定時刻に到達した場合に実施される所定時刻到達時処理と、動作モードが高度表示モードに設定された場合の処理とについて、制御部６の構成を説明する。
【００６０】
Ａ．２．１．所定時刻到達時処理における制御部６の構成
現在時刻が所定時刻に到達した場合、気圧センサー３は、第２気圧を測定する。所定時刻は、午前２時が好ましい。午前２時が好ましい理由について、図４を用いて説明する。
【００６１】
図４に、一日の気圧変化を示す。図４に示すグラフｇ１は、１日の気圧変化を示す。グラフｇ１の横軸は、時刻であり、グラフｇ１の縦軸は、気圧である。グラフｇ１内に示す気圧変化特性ｇ１＿１が、一日の気圧変化の特性である。以下に示すグラフでは、表示の簡略化のため、時刻を２４時制で示すが、説明では、時刻を明確に示すために、午前または午後を付与した１２時制で示す。
【００６２】
平均ｐａｖｇが、年間の気圧の平均値を示す。図４に示すように、午前２時の気圧は、平均ｐａｖｇに近づいている。平均値から離れた気圧を用いて補正すると、平均値からの差分が日によって変動するので、平均値に近い気圧を用いて補正することが好ましい。従って、午前２時に測定した気圧を用いて補正することが好ましい。なお、図４では、午前６時、午前１１時、午後８時、または午後１１時等の気圧も、平均ｐａｖｇに近づいている。しかしながら、午前６時、午前１１時、午後８時、または午後１１時では、ユーザーが自宅から外出しており、午前２時と比較して、第１気圧を測定した高度とは異なる高度の位置に電子時計Ｗが存在する可能性が高い。従って、午前２時に測定した気圧を用いて補正することが好ましい。
【００６３】
説明を図３に戻す。
生成部６１は、記憶部７に記憶された第１気圧と、気圧センサー３が測定した第２気圧とに基づいて、第１補正値ｃｖ１を生成する。第１補正値ｃｖ１の生成方法は、例えば、以下に示す２つの方法がある。
【００６４】
第１の方法において、生成部６１は、第２気圧から第１気圧を減じた値を、第１補正値ｃｖ１として生成する。第２の方法において、生成部６１は、第２気圧を第１気圧で除した値を、第１補正値ｃｖ１として生成する。以下の説明では、生成部６１が、第１の方法を用いて第１補正値ｃｖ１を生成した場合を例にして説明する。生成部６１は、生成した第１補正値ｃｖ１を記憶部７に保存する。
【００６５】
Ａ．２．２．高度表示モードにおける制御部６の構成
高度表示モードにおいて、高度を表示するため、補正部６２は、気圧センサー３が測定した第３気圧を取得する。補正部６２は、第１補正値ｃｖ１に基づいて、第３気圧を補正する。補正の考え方としては、例えば、第２気圧が高気圧である場合、第３気圧も高気圧となっていると予想できるため、第３気圧から、高気圧から通常の気圧を減じた値、すなわち第１補正値を減ずればよい。
従って、補正部６２は、第３気圧から第１補正値ｃｖ１を減じて得られる値を、補正後の気圧として設定する。例えば、第１気圧が９４３ｈＰａであり、第２気圧が９４５ｈＰａである場合、生成部６１は、第１補正値ｃｖ１を、９４５−９４３＝２ｈＰａと生成する。そして、第３気圧が９４２ｈＰａである場合、補正部６２は、９４２−（＋２）＝９４０ｈＰａであると補正する。
【００６６】
算出部６３は、補正部６２が補正した補正後の気圧、または、第３気圧に基づいて、高度を算出する。補正後の気圧か第３気圧のいずれに基づいて高度を算出するかについて、以下に示す５つの方法がある。
【００６７】
補正後の気圧か第３気圧のいずれに基づいて高度を算出するかについての第１の方法において、算出部６３は、常に、補正後の気圧に基づいて、高度を算出する。補正後の気圧から高度を算出する方法として、例えば、下記に示す２つの方法がある。補正後の気圧から高度を算出する第１の方法として、算出部６３は、下記（２）式に、補正後の気圧を入力することにより、高度を算出する。
【００６８】
【数２】
2019174233.tif 000004
【００６９】
補正後の気圧から高度を算出する第２の方法として、算出部６３は、気圧と高度との関係を示す気圧高度変換表を参照して、補正後の気圧に応じた高度を算出する。気圧高度変換表は、例えば、下記のような１次元のデータ構造を有する。
【００７０】
気圧高度変換表［気圧］＝高度
【００７１】
補正後の気圧か第３気圧のいずれに基づいて高度を算出するかについての第２の方法において、算出部６３は、第１気圧と第２気圧との差分が所定値以上である場合、補正後の気圧の替わりに、第３気圧に基づいて、高度を算出する。第１実施形態では、第１補正値ｃｖ１は、第２気圧から第１気圧を減じた値である。従って、第１補正値ｃｖ１は、第１気圧と第２気圧との差分といえる。第１気圧と第２気圧との差分が所定値以上となる場合とは、例えば、第２気圧を測定した位置が第１気圧を測定した位置、すなわち自宅から大きく離れた場合、または、台風が接近しており低気圧となった場合がある。所定値は、例えば、ユーザーまたは電子時計Ｗの開発者などによって設定された、人間の感覚的な高度のずれの値を気圧に変換した値、もしくは、過去の気圧の履歴から得られた統計的なばらつきの値である。人間の感覚的な高度のずれの値は、例えば、１００ｍである。気圧の履歴から得られた統計的なばらつきの値について、図５を用いて説明する。
【００７２】
図５に、所定値の一例を示す。図５に示すグラフｇ２は、過去の第２気圧の傾向を示すヒストグラムである。グラフｇ２の横軸は、気圧である。グラフｇ２の縦軸は、気圧ごとの累積度数である。本実施形態の前提により、ユーザーは、第１気圧を測定した位置、すなわち、自宅にいることが最も多い。従って、過去の第２気圧の履歴の平均値μが、第１気圧であるとする。算出部６３は、過去の第２気圧の履歴の標準偏差σまたは２×σを、所定値として算出する。標準偏差σは、例えば、下記（３）式により求められる。
【００７３】
【数３】
2019174233.tif 000005
【００７４】
ｎは、第２気圧のデータの数である。ｈｉは、ｉ番目の第２気圧である。
【００７５】
説明を図３に戻す。
補正後の気圧か第３気圧のいずれに基づいて高度を算出するかについての第３の方法において、算出部６３は、第２気圧を測定したときのタイムゾーンが、自宅のタイムゾーンと異なる場合、補正後の気圧の替わりに、第３気圧に基づいて、高度を算出する。第２気圧を測定したときのタイムゾーンが自宅のタイムゾーンに一致する場合、算出部６３は、補正後の気圧に基づいて高度を算出する。以下、自宅のタイムゾーンを、「第１タイムゾーン」と称し、第２気圧を測定したときのタイムゾーンを、「第２タイムゾーン」と称する。
【００７６】
補正後の気圧か第３気圧のいずれに基づいて高度を算出するかについての第４の方法において、算出部６３は、第２気圧を測定したときの加速度センサー４が測定した加速度の値が０でない場合、補正後の気圧の替わりに、第３気圧に基づいて、高度を算出する。第２気圧を測定したときの加速度センサー４が測定した加速度の値が０である場合、言い換えれば、電子時計Ｗが静止しており電子時計Ｗが慣性力を受けていないとみなせる場合、算出部６３は、補正後の気圧に基づいて高度を算出する。
【００７７】
補正後の気圧か第３気圧のいずれに基づいて高度を算出するかについての第５の方法は、第２の方法、第３の方法、および第４の方法の組み合わせである。具体的には、算出部６３は、第１気圧と第２気圧との差分が所定値以上、第２タイムゾーンが第１タイムゾーンと異なる、または、第２気圧を測定したときの加速度センサー４が測定した加速度の値が０でない場合、第３気圧に基づいて高度を算出する。以下の説明では、算出部６３は、補正後の気圧か第３気圧のいずれに基づいて高度を算出するかについての第５の方法を実施する場合を例として説明する。
【００７８】
表示制御部６４は、算出部６３が算出した高度を表示部１０が表示するように、センター指針１３、数値表示短針３２、数値表示長針３３、および小秒針４２を制御する。高度の表示方法について、以下に示す４つの方法がある。
【００７９】
高度の第１の表示方法において、算出部６３が補正後の気圧に基づいて高度を算出した場合、表示制御部６４は、時刻または高度を指示する指針が第１通知動作を実施するように制御する。一方、算出部６３が第３気圧に基づいて高度を算出した場合、表示制御部６４は、時刻または高度を指示する指針が第２通知動作を実施するように制御する。時刻または高度を指示する指針は、時針１１、分針１２、センター指針１３、数値表示短針３２、数値表示長針３３、または、小秒針４２である。第１通知動作を実施する指針と、第２通信動作を実施する指針とは、互いに同一でもよいし互いに異なってもよいが、第１実施形態では、互いに同一であるとし、センター指針１３が第１通知動作および第２通知動作を実施するとする。表示制御部６４は、センター指針１３に第１通知動作または第２通知動作を実施させた後、センター指針１３、数値表示短針３２、数値表示長針３３、および小秒針４２に高度を表示させる。
【００８０】
第１通知動作および第２通知動作は、センター指針１３が動作可能であればどのような動作でもよい。例えば、第１通知動作は、センター指針１３が時計回りまたは反時計回りに一周する動作である。第２通知動作は、センター指針１３が振動する動作である。
【００８１】
高度の第２の表示方法において、算出部６３が補正後の気圧に基づいて高度を算出した場合、表示制御部６４は、センター指針１３が第１通知動作を実施するように制御する。一方、算出部６３が第３気圧に基づいて高度を算出した場合、表示制御部６４は、センター指針１３に第２通知動作を実施させず、センター指針１３、数値表示短針３２、数値表示長針３３、および小秒針４２に高度を表示させる。
【００８２】
高度の第３の表示方法において、算出部６３が補正後の気圧に基づいて高度を算出した場合、表示制御部６４は、センター指針１３に第１通知動作を実施させず、センター指針１３、数値表示短針３２、数値表示長針３３、および小秒針４２に高度を表示させる。一方、算出部６３が第３気圧に基づいて高度を算出した場合、表示制御部６４は、センター指針１３が第２通知動作を実施するように制御する。
【００８３】
高度の第４の表示方法において、算出部６３が補正後の気圧に基づいて高度を算出した場合、表示制御部６４は、センター指針１３に第１通知動作を実施させず、センター指針１３、数値表示短針３２、数値表示長針３３、および小秒針４２に高度を表示させる。同様に、算出部６３が第３気圧に基づいて高度を算出した場合、表示制御部６４は、センター指針１３に第２通知動作を実施させず、センター指針１３、数値表示短針３２、数値表示長針３３、および小秒針４２に高度を表示させる。
【００８４】
以下の説明では、表示制御部６４は、高度の第１の表示方法に従って、高度を表示する。
【００８５】
Ａ．３．各処理のフローチャート
所定時刻到達時処理と、高度表示モードの処理とのそれぞれについて、具体的なフローチャートを用いて説明する。
【００８６】
Ａ．３．１．所定時刻到達時処理のフローチャート
図６に、所定時刻到達時処理のフローチャートを示す。所定時刻到達時処理を実施する前に、第１気圧が設定済みであるとする。生成部６１は、現在時刻が所定時刻に到達した場合、記憶部７から第１気圧を取得する（ステップＳ１）。次に、気圧センサー３は、所定時刻における第２気圧を測定する（ステップＳ２）。さらに、制御部６は、第２気圧を測定したときの第２タイムゾーンを記憶する（ステップＳ３）。さらに、制御部６は、第２気圧を測定したときの加速度センサー４の加速度を記憶部７に保存する（ステップＳ４）。そして、生成部６１は、気圧センサー３から第２気圧を取得して、第１気圧と第２気圧とに基づいて、第１補正値ｃｖ１を生成する（ステップＳ５）。生成部６１は、生成した第１補正値ｃｖ１を記憶部７に保存する（ステップＳ６）。ステップＳ６の処理終了後、制御部６は、一例の処理を終了する。
【００８７】
Ａ．３．２．高度表示モードのフローチャート
図７に、高度表示モードのフローチャートを示す。動作モードを高度表示モードに設定した場合、気圧センサー３は、第３気圧を測定する（ステップＳ１１）。制御部６は、第１気圧と第２気圧の差分、言い換えれば、第１補正値ｃｖ１が所定値未満か否かを判断する（ステップＳ１２）。第１気圧と第２気圧の差分が所定値未満である場合（ステップＳ１２：Ｙｅｓ）、制御部６は、引き続き、第１タイムゾーンが第２タイムゾーンと同一か否かを判断する（ステップＳ１３）。第１タイムゾーンが第２タイムゾーンと同一である場合（ステップＳ１３：Ｙｅｓ）、制御部６は、引き続き、保存した加速度の値が０か否かを判断する（ステップＳ１４）。保存した加速度の値が０である場合（ステップＳ１４：Ｙｅｓ）、補正部６２は、第１補正値ｃｖ１に基づいて、第３気圧を補正する（ステップＳ１５）。次に、算出部６３は、補正後の気圧に基づいて、高度を算出する（ステップＳ１６）。そして、表示制御部６４は、センター指針１３に第１通知動作を実施させる（ステップＳ１７）。
【００８８】
一方、第１気圧と第２気圧の差分が所定値以上である場合（ステップＳ１２：Ｎｏ）、第１タイムゾーンが第２タイムゾーンと同一でない場合（ステップＳ１３：Ｎｏ）、または、保存した加速度の値が０ではない場合（ステップＳ１４：Ｎｏ）、算出部６３は、第３気圧に基づいて、高度を算出する（ステップＳ１８）。次に、表示制御部６４は、センター指針１３に第１通知動作を実施させる（ステップＳ１９）。
【００８９】
ステップＳ１７の処理終了後、または、ステップＳ１８の処理終了後、表示制御部６４は、高度を表示部１０に表示させる（ステップＳ２０）。ステップＳ２０の処理終了後、制御部６は、一例の処理を終了する。
【００９０】
Ａ．４．第１実施形態の効果
以上示したように、電子時計Ｗは、第１気圧と第２気圧とに基づいて、第１補正値ｃｖ１を生成し、第１補正値ｃｖ１に基づいて第３気圧を補正し、補正後の気圧に基づいて、高度を算出する。第２気圧を測定した所定時刻以降の気圧は、一定期間第１補正値ｃｖ１が影響するように変化するとみなせる。例えば、所定時刻で低気圧であれば、一定期間低気圧が継続すると予想できる。この場合、第１補正値ｃｖ１は、通常の気圧を基準として低気圧の影響を考慮した値であるとみなせる。この一定期間は、天候または季節によって変動する。高度をより精度良く算出するには、第２気圧を測定する間隔が短いほど好ましく、例えば、１日間である。従って、電子時計Ｗは、第２気圧を毎日測定することが好ましい。
従って、第２気圧に影響を与えた低気圧または高気圧の影響を考慮した第１補正値ｃｖ１に基づいて第３気圧を補正するため、高度を精度良く算出することが可能になる。さらに、以上の形態では、ＧＰＳモジュール２を用いずに第３高度の補正を行っているため、消費電力を抑えることが可能になる。
これに対し、ＧＰＳモジュール２による高度測定を行って高度を補正すると、消費電力が大きく、高度の精度も数十メートルである。従って、本実施形態のように、既知の高度を用いることにより、電子時計Ｗは、より正確な補正を行うことができる。
【００９１】
また、電子時計Ｗは、第１気圧と第２気圧との差分が所定値以上である場合、補正後の気圧の替わりに、第３気圧に基づいて、高度を算出する。第１気圧と第２気圧との差分が所定値以上となる場合とは、所定位置から電子時計Ｗが離れている場合、所定位置の高度とは異なる高度で第２気圧を測定した場合、または、台風が接近している等の異常気象時に第２気圧を測定した場合である。第１気圧は所定位置の通常時の気圧であるから、所定位置から電子時計Ｗが離れている場合には、第１補正値ｃｖ１に基づいて補正した高度に基づいて高度を算出すると、かえって誤差が大きくなる虞がある。例えば、所定位置とは高度が異なる第１地点において高度を測定した場合、第１地点の気圧が通常時の気圧であれば、第１地点の気圧をそのまま（２）式に代入することにより、真の高度に近い高度を得ることが可能である。しかしながら、第１補正値ｃｖ１に基づいて第１地点の気圧を補正してしまうと、真の高度から離れた高度を算出することになってしまう。
従って、第１実施形態によれば、第１補正値ｃｖ１に基づいて補正した高度に基づいて高度を算出すると誤差が大きくなる虞がある場合には、第１補正値ｃｖ１を用いずに高度を算出するため、慣性力を検出した場合でも第１補正値に基づいて気圧を算出する場合と比較して、高度を精度良く算出することが可能になる。
【００９２】
また、電子時計Ｗは、第２タイムゾーンが第１タイムゾーンと異なる場合、補正後の気圧の替わりに、第３気圧に基づいて、高度を算出する。第２タイムゾーンが、第１タイムゾーンと異なる場合、第２気圧を測定した位置が、所定位置から離れていることを示す。所定位置から電子時計Ｗが離れている場合には、前述したように、第１補正値ｃｖ１に基づいて補正した高度に基づいて高度を算出すると、かえって誤差が大きくなる虞がある。従って、第１実施形態によれば、第１補正値ｃｖ１に基づいて補正した高度に基づいて高度を算出すると誤差が大きくなる虞がある場合には、第１補正値ｃｖ１を用いずに高度を算出するため、タイムゾーンと異なる場合でも第１補正値に基づいて気圧を算出する場合と比較して、高度を精度良く算出することが可能になる。
【００９３】
また、電子時計Ｗは、加速度センサー４が測定した加速度の値が０ではない場合、補正後の気圧の替わりに、第３気圧に基づいて、高度を算出する。加速度の値が０ではない場合、電子時計Ｗが移動していることを意味するため、電子時計Ｗが所定位置から離れている虞がある。所定位置から電子時計Ｗが離れている場合には、前述したように、第１補正値ｃｖ１に基づいて補正した高度に基づいて高度を算出すると、かえって誤差が大きくなる虞がある。従って、第１実施形態によれば、第１補正値ｃｖ１に基づいて補正した高度に基づいて高度を算出すると誤差が大きくなる虞がある場合には、第１補正値ｃｖ１を用いずに高度を算出するため、高度を精度良く算出することが可能になる。
【００９４】
また、センター指針１３は、補正後の気圧に基づいて高度を算出した場合に、第１通知動作を実施する。ユーザーは、第１通知動作を閲覧することにより、補正された高度であるか否かを把握することが可能になる。
【００９５】
また、センター指針１３は、第３気圧に基づいて高度を算出した場合に、第２通知動作を実施する。ユーザーは、第２通知動作を閲覧することにより、真の誤差に対して表示される高度に誤差がある程度含まれる可能性があり、表示される高度が第１補正値によって補正を行った場合と比較して誤差が大きい可能性が高いことを把握することが可能になる。
【００９６】
Ｂ．第２実施形態
第２実施形態では、補正部６２は、第１補正値ｃｖ１と、記憶部７に記憶された気圧情報７１（図８参照）とに基づいて、第３気圧を補正する。以下、第２実施形態について説明する。なお、以下に例示する各形態および各変形例において作用や機能が第１実施形態と同様である要素については、第１実施形態で使用した符号を流用して各々の詳細な説明を適宜に省略する。以下に示す要素については、説明の省略のため、特に記載がない場合、第２実施形態に関する要素であるとする。
【００９７】
Ｂ．１．第２実施形態にかかる制御部６の構成
【００９８】
図８に、制御部６の構成図を示す。制御部６は、記憶部７に記憶されたプログラムを読み取り実行することにより、生成部６１と、補正部６２と、算出部６３と、表示制御部６４と、更新部６６とを実現する。以下の説明では、所定時刻到達時処理と、動作モードが高度表示モードに設定された場合の処理とについて、第１実施形態との差異について説明する。
【００９９】
Ｂ．１．１．所定時刻到達時処理における制御部６の構成
生成部６１の処理は、第１実施形態と同一の処理である。更新部６６は、所定の条件を満たす場合、第２気圧と第１気圧との差分、または第３気圧と第１気圧の差分に基づいて気圧情報７１を更新する。所定の条件は、以下に示す５つの態様がある。
【０１００】
第１の態様における所定の条件において、更新部６６は、常に気圧情報７１を更新する。気圧情報７１には、２つの態様がある。以下、図９および図１０を用いて、気圧情報７１の各態様についてと、更新例について説明する。
【０１０１】
図９に、第１の態様における気圧情報７１を示す。図９に示すグラフｇ３の気圧変化特性ｇ３＿１は、第１の態様における気圧情報７１が示す特性である。グラフｇ３の横軸は時刻であり、グラフｇ３の縦軸は気圧である。第１の態様における気圧情報７１は、所定期間における１日間の所定時刻ごとに測定された気圧の平均値と第１気圧との差分を示す。所定期間は、１日間を超える期間が好ましく、例えば、１週間、１ヶ月間、２ヶ月間、または１年間等である。または、所定期間が変動してもよく、例えば、所定期間は、電子時計Ｗが動作した時点から現在時刻まででもよい。以下の説明では、所定期間は、電子時計Ｗが動作した時点から現在時刻までとする。気圧変化特性ｇ３＿１が示すように、１日の気圧の平均値は、午前９時が最も低く、午後３時が最も高い。このように、気圧の平均値は、１日の時刻の変化に応じて周期的に変化する傾向がある。
【０１０２】
第２気圧と第１気圧との差分に基づく気圧情報７１の更新例として、更新部６６は、例えば、下記（４）式に従って、気圧情報７１の所定時刻の平均気圧を更新する。
【０１０３】
更新後の所定時刻の平均気圧＝（所定期間のデータの数×更新前の所定時刻の平均気圧＋第２気圧と第１気圧との差分）／（所定期間のデータの数＋１）  （４）
【０１０４】
第３気圧と第１気圧との差分に基づく気圧情報７１の更新例として、更新部６６は、例えば、下記（５）式に従って、気圧情報７１の所定時刻の平均気圧を更新する。
【０１０５】
更新後の所定時刻の平均気圧＝（所定期間のデータの数×更新前の所定時刻の平均気圧＋第３気圧と第１気圧との差分）／（所定期間のデータの数＋１）  （５）
【０１０６】
図９に示す気圧変化特性ｇ３＿１は、説明の簡略化のため、所定時刻である午前２時において、午前２時の測定された気圧の平均値と第１気圧との差分が０であるとする。所定時刻における気圧の平均値と第１気圧との差分が、０とならない場合もある。
【０１０７】
図１０に、第２の態様における気圧情報７１を示す。図１０に示すグラフｇ４の気圧変化特性ｇ４＿１は、第２の態様における気圧情報７１が示す特性である。グラフｇ４の横軸は時刻であり、グラフｇ４の縦軸は気圧である。第２の態様における気圧情報７１は、所定期間における１年間の月ごとに測定された気圧の平均値と第１気圧との差分を示す。所定期間は、１年間を超える期間が好ましく、例えば、２年間または３年間などである。気圧変化特性ｇ４＿１が示すように、１年間の気圧の平均値は、８月が最も低く、１１月が最も高い。このように、気圧の平均値は、１年間の月の変化に応じて周期的に変化する傾向がある。
【０１０８】
第２気圧と第１気圧との差分に基づく気圧情報７１の更新例として、更新部６６は、例えば、下記（６）式に従って、気圧情報７１の第２気圧を測定した月の平均気圧を更新する。
【０１０９】
更新後の第２気圧を測定した月の平均気圧＝（所定期間のデータの数×更新前の第２気圧の測定した月の平均気圧＋第２気圧と第１気圧との差分）／（所定期間のデータの数＋１）  （６）
【０１１０】
第３気圧と第１気圧との差分に基づく気圧情報７１の更新例として、更新部６６は、例えば、下記（７）式に従って、気圧情報７１の第２気圧を測定した月の平均気圧を更新する。
【０１１１】
更新後の第３気圧を測定した月の平均気圧＝（所定期間のデータの数×更新前の第３気圧の測定した月の平均気圧＋第３気圧と第１気圧との差分）／（所定期間のデータの数＋１）  （７）
【０１１２】
説明を図８に戻す。
第２の態様における所定の条件において、第１気圧と第２気圧との差分が所定値以上である場合、更新部６６は、気圧情報７１の値を第２気圧および第３気圧の測定前後で維持する。一方、第１気圧と第２気圧との差分が所定値未満である場合、更新部６６は、第２気圧と第１気圧との差分、または第３気圧と第１気圧との差分に基づいて気圧情報７１を補正する。この所定値は、第１実施形態における、補正後の気圧か第３気圧のいずれに基づいて高度を算出するかについての第２の方法で説明した所定値と同一である。
【０１１３】
第３の態様における所定の条件において、第２タイムゾーンが第１タイムゾーンと異なる場合、更新部６６は、気圧情報７１の値を第２気圧および第３気圧の測定前後で維持する。一方、第１気圧と第２気圧との差分が所定値未満である場合、更新部６６は、第２気圧と第１気圧との差分、または第３気圧と第１気圧との差分に基づいて気圧情報７１を補正する。
【０１１４】
第４の態様における所定の条件において、第２気圧を測定したときの加速度センサー４が測定した加速度の値が０でない場合、更新部６６は、気圧情報７１の値を第２気圧および第３気圧の測定前後で維持する。一方、第２気圧を測定したときの加速度センサー４が測定した加速度の値が０である場合、更新部６６は、第２気圧と第１気圧との差分、または第３気圧と第１気圧との差分に基づいて気圧情報７１を補正する。
【０１１５】
第５の態様における所定の条件は、第２の態様における所定の条件、第３の態様における所定の条件、および、第４の態様における所定の条件の組み合わせである。具体的には、第１気圧と第２気圧との差分が所定値以上、第２タイムゾーンが第１タイムゾーンと異なる、または第２気圧を測定したときの加速度センサー４が測定した加速度の値が０でない場合、更新部６６は、気圧情報７１の値を第２気圧および第３気圧の測定前後で維持する。
【０１１６】
以下の記載では、更新部６６は、第５の態様における所定の条件に従うとする。
【０１１７】
Ｂ．１．２．高度表示モードにおける制御部６の構成
高度表示モードにおいて、高度を表示するため、補正部６２は、気圧センサー３が測定した第３気圧を取得する。補正部６２は、更新部６６が気圧情報７１を更新した場合、更新後の気圧情報７１と、第１補正値ｃｖ１とに基づいて、第３気圧を補正する。第１態様における気圧情報７１の補正方法、および、第２態様における気圧情報７１の補正方法について、図１１および図１２を用いて説明する。
【０１１８】
図１１に、第１の態様における気圧情報７１を用いた第３気圧の補正方法を示す。補正部６２は、第１の態様における気圧情報７１を参照して第３気圧を測定した時刻に応じた気圧の平均値と第１気圧との差分と、第１補正値ｃｖ１とに基づいて、第３気圧を補正する。
【０１１９】
図１１に示すグラフｇ５は、図９に示した気圧変化特性ｇ３＿１と、第１補正値ｃｖ１とを示す。図１１の例では、第２気圧が、第１気圧より０．５ｈＰａ低かった例である。第１補正値ｃｖ１は、第２気圧から第１気圧を減じた値であるから、−０．５ｈＰａである。午前２時の時に低気圧であれば、一定期間低気圧が継続すると予想できる。従って、この一定期間の気圧変化は、気圧変化特性ｇ３＿１の各時刻における気圧から第１補正値ｃｖ１を減じた、グラフｇ５に示す気圧変化特性ｇ５＿１が示す特性を有すると予想できる。補正部６２は、下記（８）式に従って、第３気圧を補正する。
【０１２０】
補正後の第３気圧＝補正前の第３気圧−気圧情報７１を参照して第３気圧を測定した時刻に応じた気圧の平均値と第１気圧との差分−第１補正値  （８）
【０１２１】
例えば、電子時計Ｗは、午後２時に第３気圧として、９４３．７ｈＰａを測定したとする。気圧変化特性ｇ３＿１の午後２時の差分が、プロット点ｐ１４ｈが示すように１．２ｈＰａであり、第１補正値ｃｖ１が−０．５ｈＰａであったとすると、補正部６２は、（８）式に従って、補正後の第３気圧＝９４３．７−（１．２）−（−０．５）＝９４３ｈｐａと補正する。
【０１２２】
図１２に、第２の態様における気圧情報７１を用いた第３気圧の補正方法を示す。補正部６２は、第２の態様における気圧情報７１を参照して前記第３気圧を測定した月に応じた気圧の平均値と第１気圧との差分と、第１補正値ｃｖ１とに基づいて、第３気圧を補正する。
【０１２３】
図１２に示すグラフｇ６は、図１０に示した気圧変化特性ｇ４＿１と、第１補正値ｃｖ１とを示す。図１２の例では、第２気圧が、第１気圧より１ｈＰａ低かった例である。第１補正値ｃｖ１は、第２気圧から第１気圧を減じた値であるから、−１ｈＰａである。午前２時の時低気圧であれば、一定期間は低気圧が継続すると予想できる。従って、この一定期間の気圧変化は、気圧変化特性ｇ４＿１の各時刻における気圧から第１補正値ｃｖ１を減じた、グラフｇ６に示す気圧変化特性ｇ６＿１が示す特性を有すると予想できる。補正部６２は、下記（９）式に従って、第３気圧を補正する。
【０１２４】
補正後の第３気圧＝補正前の第３気圧−気圧情報７１を参照して第３気圧を測定した月に応じた気圧の平均値と第１気圧との差分−第１補正値  （９）
【０１２５】
例えば、電子時計Ｗは、１０月１日の午前２時に第２気圧を測定し、第１補正値ｃｖ１を−１ｈＰａであると測定したとする。そして、電子時計Ｗは、１１月１日に第３気圧として、９３７ｈＰａを測定したとする。気圧変化特性ｇ３＿１の１１月の差分が、プロット点ｐ１１ｍが示すように−４．９ｈＰａであり、第１補正値ｃｖ１が−１ｈＰａであったとすると、補正部６２は、（９）式に従って、補正後の第３気圧＝９３７−（−４．９）−（−１）＝９４２．９ｈｐａと補正する。
【０１２６】
算出部６３は、更新部６６が気圧情報７１を更新した場合、補正後の気圧に基づいて高度を算出し、更新部６６が気圧情報７１の値を維持した場合、第３気圧に基づいて高度を算出する。表示制御部６４の処理は、第１実施形態と同一であるため、説明を省略する。
【０１２７】
Ｂ．２．各処理のフローチャート
所定時刻到達時処理と、高度表示モードの処理とのそれぞれについて、具体的なフローチャートを用いて説明する。
【０１２８】
Ｂ．２．１．所定時刻到達時処理のフローチャート
図１３に、所定時刻到達時処理のフローチャートを示す。図１３に示すステップＳ４１の処理からステップＳ４５の処理までの一連の処理は、ステップＳ１の処理からステップＳ５の処理までの一連の処理と一致するため、説明を省略する。
【０１２９】
ステップＳ４５の処理終了後、制御部６は、第１気圧と第２気圧の差分、言い換えれば、第１補正値ｃｖ１が所定値未満か否かを判断する（ステップＳ４６）。第１気圧と第２気圧の差分が所定値未満である場合（ステップＳ４６：Ｙｅｓ）、制御部６は、引き続き、第１タイムゾーンが第２タイムゾーンと同一か否かを判断する（ステップＳ７）。第１タイムゾーンが第２タイムゾーンと同一である場合（ステップＳ４７：Ｙｅｓ）、制御部６は、引き続き、保存した加速度の値が０か否かを判断する（ステップＳ４８）。保存した加速度の値が０である場合（ステップＳ４８：Ｙｅｓ）、更新部６６は、第１補正値ｃｖ１に基づいて、気圧情報７１を更新する（ステップＳ４９）。そして、更新部６６は、第１補正値ｃｖ１を保存する（ステップＳ５０）。
【０１３０】
ステップＳ５０の処理終了後、第１気圧と第２気圧の差分が所定値以上である場合（ステップＳ４６：Ｎｏ）、第１タイムゾーンが第２タイムゾーンと同一でない場合（ステップＳ４７：Ｎｏ）、または、保存した加速度の値が０ではない場合（ステップＳ４８：Ｎｏ）、制御部６は、一連の処理を終了する。
【０１３１】
Ｂ．２．２．高度表示モードのフローチャート
図１４に、高度表示モードのフローチャートを示す。図１４に示すステップＳ７５の処理からステップＳ７９の処理までの一連の処理は、ステップＳ１６の処理からステップＳ２０までの一連の処理と一致するため、説明を省略する。
【０１３２】
動作モードを高度表示モードに設定した場合、気圧センサー３は、第３気圧を測定する（ステップＳ７１）。次に、制御部６は、所定時刻到達時処理において、第１補正値ｃｖ１を保存したか否かを判断する（ステップＳ７２）。第１補正値ｃｖ１を保存した場合とは、ステップＳ４６の処理、ステップＳ４７の処理、および、ステップＳ４８の処理の判断結果が全てＹｅｓとなったことを示す。一方、第１補正値ｃｖ１を保存していない場合とは、ステップＳ４６の処理、ステップＳ４７の処理、または、ステップＳ４８の処理の判断結果のいずれかがＮｏとなったことを示す。
【０１３３】
第１補正値ｃｖ１を保存した場合（ステップＳ７２：Ｙｅｓ）、算出部６３は、気圧情報７１および第１補正値ｃｖ１に基づいて、第３気圧を補正する（ステップＳ７３）。次に、更新部６６は、第３気圧と第１気圧との差分に基づいて、気圧情報７１を更新する（ステップＳ７４）。ステップＳ７４の処理実行後、表示制御部６４は、ステップＳ７４の処理を実施する。
【０１３４】
一方、第１補正値ｃｖ１を保存していない場合（ステップＳ７２：Ｎｏ）、算出部６３は、ステップＳ７７の処理を実施する。
【０１３５】
Ｂ．３．第２実施形態の効果
以上示したように、電子時計Ｗは、気圧情報７１を参照し、第１補正値ｃｖ１に基づいて第３気圧を補正する。一般的に、一日単位の所定時刻ごとの平均的な気圧は、周期的に変化する傾向がある。同様に、一年単位の月ごとの平均的な気圧も、周期的に変化する傾向がある。気圧情報７１には、この周期的な変化の傾向が反映されている。従って、第２実施形態では、気圧情報７１を参照することにより、所定時刻ごと、または月ごとに周期的に変化する気圧の傾向を考慮するため、気圧情報７１を参照しない場合と比較して、高度を精度良く算出することが可能になる。
【０１３６】
また、電子時計Ｗは、第２気圧と第１気圧との差分、または第３気圧と第１気圧との差分に基づいて気圧情報７１を更新し、更新後の気圧情報７１を参照し、第１補正値ｃｖ１に基づいて第３気圧を補正する。このように、更新後の気圧情報７１には、第２気圧または第３気圧が反映される。すなわち、更新後の気圧情報７１には、気圧情報７１を更新しない場合と比較して、新しい情報が反映される。従って、第２実施形態によれば、新しい情報が反映された気圧情報７１に基づいて第３気圧を補正するため、気圧情報７１を更新しない場合と比較して、高度を精度良く算出することが可能になる。
【０１３７】
また、電子時計Ｗは、第１気圧と第２気圧との差分が所定値以上である場合、気圧情報７１の値を第２気圧および第３気圧の測定前後で維持する。第１気圧と第２気圧との差分が所定値以上となる場合とは、所定位置から電子時計Ｗが離れている場合、所定位置の高度とは異なる高度で第２気圧を測定した場合、または、台風が接近している等の異常気象時に第２気圧を測定した場合である。気圧情報７１は、所定位置における通常の気圧変化を想定しているため、所定位置から電子時計Ｗが離れている場合、または、所定位置に電子時計Ｗがあったとしても通常とは異なる異常気象の気圧変化となる場合には、第２気圧を気圧情報７１に反映させない方がよい。第３気圧を測定した時点でも、第２気圧を測定した状況と同様の状況であると想定できるため、第３気圧も気圧情報７１に反映させない方がよい。
従って、第２実施形態によれば、気圧情報７１に、精度を悪化させる、所定位置から電子時計Ｗが離れているときの気圧、および、異常気象の気圧を含めないことができる。従って、第２実施形態によれば、第１気圧と第２気圧との差分が所定値以上の場合でも気圧情報７１を更新する場合と比較して、高度を精度良く算出することが可能になる。
【０１３８】
また、電子時計Ｗは、第２タイムゾーンが第１タイムゾーンと異なる場合、気圧情報７１の値を第２気圧および第３気圧の測定前後で維持する。第２タイムゾーンが第１タイムゾーンと異なる場合、第２気圧を測定した位置が、所定位置から離れていることを示す。所定位置から電子時計Ｗが離れている場合には、前述したように、第２気圧および第３気圧を気圧情報７１に反映させない方がよい。従って、第２実施形態によれば、第２タイムゾーンが第１タイムゾーンと異なる場合でも気圧情報７１を更新する場合と比較して、高度を精度良く算出することが可能になる。
【０１３９】
また、電子時計Ｗは、加速度センサー４が測定した加速度の値が０ではない場合、気圧情報７１の値を第２気圧および第３気圧の測定前後で維持する。加速度の値が０ではない場合、電子時計Ｗが移動していることを意味するため、電子時計Ｗが所定位置から離れている虞がある。所定位置から電子時計Ｗが離れている場合には、前述したように、第２気圧および第３気圧を気圧情報７１に反映させない方がよい。従って、第２実施形態によれば、加速度センサー４が測定した加速度の値が０ではない場合でも気圧情報７１を更新する場合と比較して、高度を精度良く算出することが可能になる。
【０１４０】
Ｃ．実施例
以下、実施例を示すが、本発明は以下の例により限定されるものではない。
【０１４１】
図１５に、実施例および参考例における補正後の気圧を示す。図１５に示すグラフｇ７では、高度６１０ｍの地点の１年間における１日の各時刻における第３気圧の平均値、または補正後の気圧の平均値を示す。
１年間の第３気圧の平均値は、９４４．０ｈＰａとなった。（２）式のＰ０に１０１３．２５ｈＰａを代入し、Ｔに１５度を代入し、Ｐに９４４．０ｈＰａを代入すると、６０１ｍが得られた。
１年間のうち気圧の最大値は、９５９．９ｈＰａとなった。（２）式のＰ０に１０１３．２５ｈＰａを代入し、Ｔに１５度を代入し、Ｐに９５９．９ｈＰａを代入すると、４５８ｍが得られた。
１年間のうち気圧の最小値は、９１８．７ｈＰａとなった。（２）式のＰ０に１０１３．２５ｈＰａを代入し、Ｔに１５度を代入し、Ｐに９１８．７ｈＰａを代入すると、８３４ｍが得られた。
以上により、１年間のうち気圧の最大値と最小値との差は、４１．２ｈＰａとなった。（２）式のＰ０に１０１３．２５ｈＰａを代入し、Ｔに１５度を代入し、Ｐに４１．２ｈＰａを代入すると、３７６ｍが得られた。従って、第３気圧の補正を行わないと、高度の表示において、一年間で最大３７６ｍのばらつきが発生してしまう。従って、補正を行わないと、高度のばらつきが発生することに慣れていないユーザーの場合、製品への信頼が低下する虞がある。
【０１４２】
高度６１０ｍにおいて、（１）式のＰ０を１０１３．２５ｈＰａとし、（１）式のＴを１５度とすると、（１）式から、第１気圧は、９４３．１ｈＰａが得られる。従って、補正後の第３気圧が９４３．１ｈＰａに近づく程、真の高度からの誤差を抑えることが可能になる。
【０１４３】
グラフｇ７の気圧変化特性ｐ７＿０は、補正しない場合の第３気圧の変化を示す。グラフｇ７の気圧変化特性ｐ７＿１は、第１実施形態の実施例、すなわち、第１補正値ｃｖ１に基づいて第３気圧を補正した補正後の気圧の変化を示す。グラフｇ７の気圧変化特性ｐ７＿２は、第２実施形態の実施例、すなわち、気圧情報７１および第１補正値ｃｖ１に基づいて第３気圧を補正した補正後の気圧の変化を示す。グラフｇ７の気圧変化特性ｐ７＿ｒｅは、参考例として、気圧情報７１に基づいて第３気圧を補正した補正後の気圧の変化を示す。
【０１４４】
第１実施形態において、気圧変化特性ｐ７＿１が示すように、気圧変化特性ｐ７＿０と比較して９４３．１ｈＰａに近づいているため、算出した高度の誤差を抑えることが可能になる。
【０１４５】
第２実施形態において、気圧変化特性ｐ７＿２が示すように、気圧変化特性ｐ７＿０、気圧変化特性ｐ７＿１、および、気圧変化特性ｐ７＿ｒｅと比較して９４３．１ｈＰａに近づいているため、算出した高度の誤差を抑えることが可能になる。
【０１４６】
Ｄ．変形例
以上の各形態は多様に変形され得る。具体的な変形の態様を以下に例示する。以下の例示から任意に選択された２以上の態様は、相互に矛盾しない範囲内で適宜に併合され得る。なお、以下に例示する変形例において作用や機能が実施形態と同等である要素については、以上の説明で参照した符号を流用して各々の詳細な説明を適宜に省略する。
【０１４７】
第１実施形態において、ステップＳ１２の処理、ステップＳ１３の処理、または、ステップＳ１４の処理の判断結果がＮｏとなった場合には、補正後の気圧に基づかず、第３気圧に基づいて、高度を算出したが、これに限らない。例えば、算出部６３は、ステップＳ１２の処理、ステップＳ１３の処理、または、ステップＳ１４の処理の判断結果でＮｏとなった場合に限り、ＧＰＳモジュール２を用いて高度を算出してもよい。これにより、制御部６は、常時ＧＰＳモジュール２を用いて高度を算出することと比較して消費電力を抑えることができる。さらに、制御部６は、ステップＳ１２の処理、ステップＳ１３の処理、または、ステップＳ１４の処理の判断結果でＮｏとなった場合に、高度を精度良く算出することが可能になる。第２実施形態でも同様に、算出部６３は、ステップＳ７２の処理の判断結果がＮｏとなった場合に、ＧＰＳモジュール２を用いて高度を算出してもよい。
【０１４８】
上述した各態様において、電子時計Ｗは、ユーザーの操作によって、第１高度を設定するために自宅の高度を受け付けたが、第１高度そのものを受け付けてもよい。
【０１４９】
上述した各態様において、所定時刻が午前２時であることが好ましいと記載したが、他の時刻であってもよい。例えば、所定時刻は、午後１１時でもよい。
【０１５０】
上述した各態様では、第３気圧を補正したが、（２）式で得られる高度を補正してもよい。具体的には、電子時計Ｗは、予め設定した所定位置の高度を第１高度として記憶する。そして、電子時計Ｗは、記憶した第１高度と、所定時刻に測定した高度に基づく第２高度とに基づいて、第１補正値ｃｖ１を生成する。次に、電子時計Ｗは、高度を算出するために気圧センサー３が測定した高度に基づいて第３高度を算出する。そして、電子時計Ｗは、第１補正値ｃｖ１に基づいて、第３高度を補正する。または、電子時計Ｗは、海面気圧であるＰ０を補正してもよい。
【０１５１】
上述した各態様において、電子時計Ｗは、加速度センサー４を有していたが、加速度センサー４の替わりに、ジャイロセンサーを有してもよいし、加速度センサー４およびジャイロセンサーを有してもよい。ジャイロセンサーは、電子時計Ｗにかかるコリオリの力（慣性力の一種）を検出し、検出したコリオリの力に基づいて、角速度を測定する。
算出部６３は、第２気圧を測定したときのジャイロセンサーが測定した角速度の値が０でない場合、補正後の気圧の替わりに、第３気圧に基づいて、高度を算出する。第２気圧を測定したときのジャイロセンサーが測定した角速度の値が０である場合、言い換えれば、電子時計Ｗが静止しており電子時計Ｗが慣性力を受けていないとみなせる場合、算出部６３は、補正後の気圧に基づいて高度を算出する。
【０１５２】
上述した各態様において、電子時計Ｗは、第２気圧を毎日測定することが好ましいことを記載したが、これに限らない。例えば、電子時計Ｗは、第２気圧を一日おきに測定してもよいし、１週間に一度測定してもよい。
【０１５３】
上述した各態様において、電子時計Ｗは、指針で時刻を表示するアナログ時計であったが、ＬＣＤ（Liquid Crystal Display：液晶ディスプレイ）または有機ＥＬ（ElectroLuminescence）ディスプレイ等で時刻を表示するデジタル時計でもよい。または、電子時計Ｗは、コンビネーションクォーツ（ＣＱ：Combination Quartz）でもよい。電子時計Ｗがデジタル時計またはＣＱである場合、電子時計Ｗは、第１通知動作の替わりにディスプレイに「第３気圧を補正した」旨を表示し、第２通知動作の替わりにディスプレイに「第３気圧を補正していない」旨を表示してもよい。
【０１５４】
上述した各態様を電子時計Ｗに適用しているが、これに限らない。例えば、上述した各形態を、高度計に適用することも可能である。または、上述した各形態を、電子時計Ｗ以外の電子機器に適用することも可能である。例えば、上述した各形態を、携帯電話、スマートフォン、タブレット端末、またはビデオカメラ等に適用することが可能である。
【０１５５】
上述した態様において、上述した電子時計Ｗを、上述した電子時計Ｗの各部として機能させるように構成されたコンピュータープログラムまたは当該コンピュータープログラムを記録したコンピューター読み取り可能な記録媒体として捉えることもできる。記録媒体は例えば非一過性（non-transitory）の記録媒体であり、ＣＤ−ＲＯＭ等の光学式記録媒体の他、半導体記録媒体や磁気記録媒体等の公知の任意の記録媒体を含み得る。また、上述した各態様にかかる高度補正方法としても算出される。
【符号の説明】
【０１５６】
２…ＧＰＳモジュール、３…気圧センサー、４…加速度センサー、６…制御部、７…記憶部、１３…センター指針、６１…生成部、６２…補正部、６３…算出部、６４…表示制御部、６６…更新部、７１…気圧情報、Ｗ…電子時計、ｃｖ１…第１補正値。
【図１】
2019174233.tif 000006
【図２】
2019174233.tif 000007
【図３】
2019174233.tif 000008
【図４】
2019174233.tif 000009
【図５】
2019174233.tif 000010
【図６】
2019174233.tif 000011
【図７】
2019174233.tif 000012
【図８】
2019174233.tif 000013
【図９】
2019174233.tif 000014
【図１０】
2019174233.tif 000015
【図１１】
2019174233.tif 000016
【図１２】
2019174233.tif 000017
【図１３】
2019174233.tif 000018
【図１４】
2019174233.tif 000019
【図１５】
2019174233.tif 000020